(57)【要約】      （修正有）【課題】形状を自由に変えながら身につけるのに適した金属装飾品及びその製造方法を提供する。【解決手段】純度９７．００〜９９．９９質量％の錫をローラーで一旦概略平らな板材にし、ウォータージェット加工することにより、安全に加熱も行われず光沢の良い状態に製造可能で、加工後の製品を形状変形自在に身につけることができる。【選択図】なし【特許請求の範囲】
【請求項１】
純度９７．００〜９９．９９質量％の錫を用いて製造してあり、形状変形自在に身につけることができることを特徴とする金属装飾品。
【請求項２】
元の製品形状が平面構造又は当該平面構造にスリット状の隙間を形成してあり、形状変形自在であることを特徴とする請求項１記載の金属装飾品。
【請求項３】
製品は髪飾り，めがねホルダー，帯留めのいずれかであることを特徴とする請求項１又は２記載の金属装飾品。
【請求項４】
ウォータージェット加工により、製品形状に加工することを特徴とする請求項１〜３のいずれかに記載の金属装飾品の製造方法。
【発明の詳細な説明】
【技術分野】
【０００１】
本発明は、金属装飾品であって身につけるヘッドバンド等の髪飾り，めがねホルダー，帯留め等の和風小物等、身につける金属装飾品とその製造方法に関する。
【背景技術】
【０００２】
従来の身につける金属装飾品として、特許文献１に見られるように人体のアレルギー反応等を考慮したＴｉ−Ｍｏ系合金からなる素材が提案されている。
また、髪飾りとして特許文献２に示すような工夫等も見られる。
【０００３】
ところが、特許文献１に示される人体のアレルギー反応等を考慮したＴｉ−Ｍｏ系合金では、特にヘアバンド等のヘッドアクセサリーにおいて十分な可撓性を得ることができず、柔軟な金属装飾品として満足のいくものではなかった。
また、高価な材料であって融点も高く、加工性や製造方法にも工夫が必要であった。
【０００４】
一方では、特許文献３で示されるように十分な可撓性を持った金属のユニークな構造体が提案されている。
しかし、身につける装飾品に適するものではない。
【先行技術文献】
【特許文献】
【０００５】
【特許文献１】特許第４２８１９９５号公報
【特許文献２】特開２００１−２９９４３４号公報
【特許文献３】特許第５１５９３３８号公報
【発明の概要】
【発明が解決しようとする課題】
【０００６】
身につける金属装飾品として、人体にアレルギー反応が少なく、特にヘアバンド等の髪飾りに適した可撓性を有している、身につける金属装飾品が求められていた。
また、前記金属装飾品の簡便で効率的な製造方法も同様に求められていた。
そこで、本発明は、形状を自由に変えながら身につけるのに適した金属装飾品及びその製造方法の提供を目的とする。
【課題を解決するための手段】
【０００７】
本発明は、純度９７．００〜９９．９９質量％の錫を用いて製造してあり、形状変形自在に身につけることができることを特徴とする。
特に９９．００質量％〜９９．９９質量％の高純度の錫は酸化しづらく、光沢の維持の特段の優位性を発揮する。
【０００８】
また、前記装飾品が帯状の平面構造体で構成されていると、運搬や加工が楽でよい。
【０００９】
加えて環状の隙間を有していると、重量が軽く製作できてよいし、手で曲げたりしやすく、場合によっては優先的に可撓される部分を細く形成する等、工夫ができる。
具体的には、元の製品形状が平面構造又は当該平面構造にスリット状の隙間を形成してあり、形状変形自在であることを特徴とする。
【００１０】
製造方法として、前記純度の高い錫製品をローラーで一旦概略平らな板材にし、それをウォータージェット加工にすると、水圧を利用した切断方法を用いて身につける装飾品を作る製造方法を用いると、安全に加熱も行われず光沢のよい状態のままで利用できる。
ウォータージェット加工とは、３００ＭＰａ程度に加圧された水を０．１〜１ｍｍ位の小さい穴を通して形成した水流を用いて製品加工することをいう。
【発明の効果】
【００１１】
安全かつ、アレルギー体質の人にでも弊害が少なく利用できる。
抗菌作用があり、身につけるだけで、その付近の雑菌を寄せ付けない作用がある。
【００１２】
純度の高い錫製品の可撓性は、独特のものである。
特に髪等につける装飾品に対して、適切な曲がり具合が直接その場で調整できて、保持できるために便利である。
人それぞれに異なる頭の形やメイクする個々のヘアの形にあった金属装飾品は、今まで特段にそのような機能が無かった現場では、画期的なことである。
デザインや意匠の応用も広がる。
【００１３】
また、高価な和服の帯留め等に用いても前記金属の柔らかさや性能により、帯や和服を傷めるといった不具合がなく、利用できて便利である。
これも個々に異なるカーブに適切に対応できる可撓性があるので、大きな効果を発揮する。
【００１４】
また、髪飾りの場合に特に髪をセットする際に用いられる様々な薬剤との反応がないとめに髪が痛んだり、装飾品の色が変わったり、おかしな匂いがするといった不具合がない。
【００１５】
前記ウォータージェット加工を利用した製造方法を用いると、切断面が酸化することなく、目的の切断面を自由に得ることができる。
また、様々な意匠の製品をプログラミングによって簡便に作れるために、小ロットであっても低コストで製造できる。
特に網目模様のような微細なデザインは、鋳造や低融点の金属であるためにレーザーカッティングでは得られないが、本発明の製造方法によれば、簡便に得ることができる。
場合によっては、凹凸も付けることが可能であり、意匠の応用範囲が広がる利点がある。
【発明を実施するための形態】
【００１６】
錫の純度が９７．００質量％以上の純度を有する錫で、厚み３ｍｍ程度，長さ約１５０ｍｍ，幅約５ｍｍ程度の意匠の髪飾りを例に挙げる。
髪型のカーブに沿ってその場で歪ませて利用すると、今まで得られなかったフィット感を得ることができる。
この効用は、ジュエリー関係のアクセサリーやブレスレッド，ネックレスにも応用できる。
また、ヘッドバンド，カチューシャ等の髪飾りや前記アクセサリー以外にも、めがねホルダー，帯留め等にも応用が利く。
【実施例１】
【００１７】
厚みは、１ｍｍ〜５ｍｍ程度が好ましいが、特別の特定はない。
場合によっては抗菌作用の効果は落ちるが、コーティングや鍍金を施してもよい。
【００１８】
製造方法は特に問わないが、本発明の製造方法によると低コストで微細な模様の意匠の身につける装飾品ができる。
まず、ロールによって錫をほぼ一定の厚みの板状にする。
このときの厚みは、１ｍｍ〜５ｍｍが好ましいが、場合に応じて厚みを変えてもよい。
また、ロールで予め板に模様がつくようにデザインされた凹凸面でロールプレスすると、製品の高級感があがってよい。
次にウォータージェットと呼ばれる主に水によって水圧で切断する装置を使って切断する。
この手法を用いると大きな熱を出さずに切断できるので、低融点金属の錫にはメリットがある。
切り口が酸化することもなく、微細で繊細な身につける装飾品として、すぐに商品が完成する。
デザイン等は、個々にデータにて保持されているので、特別に金型や木型を用いることがないため、小ロットの製品には最も好ましい。
【００１９】
以上のように、できた商品は、できた状態ですでに平面構造体であるために、そのまま出荷できる。
もちろん、環状の隙間を有していると、軽く構成できてよい。
また、包む形状にした場合に、向こう側の状態が隙間から透けて見せることもできるので、面白い表現が可能である。
「他の分野での応用可能性」：本発明の技術は他の分野の、例えば数珠掛けのようなものにも応用できる。
柔らかく、数珠のヒモに接するように構成できるので、適切な応用実施例である。
例えば、前述の数珠掛けにおいて花器と組み合せた、花器用数珠掛けとしての応用例等が考えられる。
小スペースで構成できるので、便利である。